(57)【要約】【課題】情報処理装置からＩＣチップへの電源供給を適切に制御することで、情報処理装置の消費電力を削減可能なＩＣチップを提供する。【解決手段】ＣＥ機器１５０に搭載可能なＩＣチップ１００であって、ＣＥ機器から電源を供給されてＩＣチップの動作に必要な処理を行う処理部１０４と、非接触通信によりリーダライタ２００から送信される高周波信号を検知し、高周波信号の検知状態を示す検知信号５０をＣＥ機器に出力するＲＦ信号検知部１０６と、少なくとも検知信号に応答してＣＥ機器から入力される制御信号５２に応じて、ＣＥ機器からロジック部等に対する電源供給を制御する電源供給制御部１０８と、を備える。これにより、ＩＣチップは、検知信号に応答してＣＥ機器等の情報処理装置から入力される制御信号に応じて、情報処理装置からの電源供給を適切に制御することができる。【選択図】図１
2010067075.tif 000002
【特許請求の範囲】
【請求項１】
情報処理装置に搭載可能なＩＣチップであって、
前記情報処理装置から電源を供給されて前記ＩＣチップの動作に必要な処理を行う処理部と、
非接触通信により外部機器から送信される高周波信号を検知し、高周波信号の検知状態を示す検知信号を前記情報処理装置に出力する高周波信号検知部と、
少なくとも前記検知信号に応答して前記情報処理装置から入力される制御信号に応じて、前記情報処理装置から前記処理部に対する電源供給を制御する電源供給制御部と、
を備える、ＩＣチップ。
【請求項２】
前記高周波信号検知部は、前記外部機器から送信される高周波信号に基づく電源を供給されて作動する、請求項１に記載のＩＣチップ。
【請求項３】
前記高周波信号検知部は、前記情報処理装置から電源を供給されて作動する、請求項１に記載のＩＣチップ。
【請求項４】
前記電源供給制御部は、さらに、前記処理部による処理状況に応答して前記情報処理装置から入力される前記制御信号に応じて、前記情報処理装置から前記処理部に対する電源供給を制御する、請求項１に記載のＩＣチップ。
【請求項５】
ＩＣチップを搭載可能な情報処理装置であって、
前記ＩＣチップに電源を供給可能な電源供給部と、
非接触通信により外部機器から送信される高周波信号の検知状態を示す検知信号を前記ＩＣチップから入力され、少なくとも前記検知信号に応答して、前記電源供給部から前記ＩＣチップの処理部に対する電源供給を、前記ＩＣチップに制御させるための制御信号を前記ＩＣチップに出力する制御部と、
を備え、
前記ＩＣチップは、
前記情報処理装置から電源を供給されて前記ＩＣチップの動作に必要な処理を行う処理部と、
非接触通信により前記外部機器から送信される高周波信号を検知し、高周波信号の検知状態を示す前記検知信号を前記情報処理装置に出力する高周波信号検知部と、
少なくとも前記検知信号に応答して前記情報処理装置から入力される前記制御信号に応じて、前記情報処理装置から前記処理部に対する電源供給を制御する電源供給制御部と、
を有する、情報処理装置。
【請求項６】
前記制御部は、さらに、前記処理部による処理状況に応答して、前記電源供給部から前記処理部に対する電源供給を、前記ＩＣチップに制御させるための前記制御信号を前記ＩＣチップに出力する、請求項５に記載の情報処理装置。
【請求項７】
前記制御部は、前記検知信号または前記処理部による処理状況に応答して、前記電源供給部から前記処理部に対する電源供給を制御する、請求項５に記載の情報処理装置。
【請求項８】
情報処理装置および外部機器からなる情報処理システムであって、
前記情報処理装置は、
前記ＩＣチップに電源を供給可能な電源供給部と、
非接触通信により外部機器から送信される高周波信号の検知状態を示す検知信号を前記ＩＣチップから入力され、少なくとも前記検知信号に応答して、前記電源供給部から前記ＩＣチップの処理部に対する電源供給を、前記ＩＣチップに制御させるための制御信号を前記ＩＣチップに出力する制御部と、
を備え、
前記ＩＣチップは、
前記情報処理装置から電源を供給されて前記ＩＣチップの動作に必要な処理を行う処理部と、
非接触通信により前記外部機器から送信される高周波信号を検知し、高周波信号の検知状態を示す前記検知信号を前記情報処理装置に出力する高周波信号検知部と、
少なくとも前記検知信号に応答して前記情報処理装置から入力される前記制御信号に応じて、前記情報処理装置から前記処理部に対する電源供給を制御する電源供給制御部と、
を有し、
前記外部機器は、前記ＩＣチップとの間で非接触通信を行う非接触通信部を備える、情報処理システム。
【請求項９】
情報処理装置に搭載可能なＩＣチップに適用可能な電源制御方法をコンピュータに実行させるためのプログラムであって、
前記電源制御方法は、
非接触通信により外部機器から前記ＩＣチップに送信される、高周波信号の検知状態を示す検知信号が前記ＩＣチップから前記情報処理装置に出力されると、少なくとも前記検知信号に応答して前記情報処理装置から入力される制御信号に応じて、前記ＩＣチップの動作に必要な処理を行うための前記情報処理装置からの電源供給を制御する電源制御ステップを含む、プログラム。
【請求項１０】
ＩＣチップを搭載可能な情報処理装置に適用可能な電源制御方法をコンピュータに実行させるためのプログラムであって、
前記電源制御方法は、
非接触通信により外部機器から前記情報処理装置に送信される、高周波信号の検知状態を示す検知信号を前記ＩＣチップから入力され、少なくとも前記検知信号に応答して、前記ＩＣチップの動作に必要な処理を行うための前記情報処理装置からの電源供給を、前記ＩＣチップに制御させるための制御信号を前記ＩＣチップに出力する制御ステップを含む、プログラム。
【発明の詳細な説明】
【技術分野】
【０００１】
本発明は、ＩＣチップ、情報処理装置、情報処理システム、およびプログラムに関する。
【背景技術】
【０００２】
近年、非接触通信によるデータの送受信、データの読出しおよび書込みが可能なＩＣチップ（ＲＦＩＤモジュール等）が普及しており、ＩＣチップを搭載したコンシューマエレクトロニクス製品（以下では、ＣＥ機器とも称する。）等の情報処理装置も開発されている。ＩＣチップによれば、例えば、設定処理、決済処理、認証処理等、ＣＥ機器の高機能化に伴って複雑化した各種の処理が簡単に操作可能となり、ＣＥ機器を利用するユーザの利便性を向上させることができる。
【０００３】
ＩＣチップは、高周波信号（以下では、ＲＦ信号とも称する。）の送受信を行うアンテナ、ＩＣチップの動作に必要な処理を行う処理部を含んで構成される。ＩＣチップは、ＣＥ機器に搭載可能に構成され、ＣＥ機器から供給される電源および信号により処理部を駆動することで、データの送受信等各種の処理を行う。この種のＩＣチップは、有線端子付きのＩＣチップとも称される。
【０００４】
従来、有線端子付きのＩＣチップでは、ＣＥ機器での電源のオン／オフ切り替えに応じてＣＥ機器からの電源供給がオン／オフ切り替えされ、またはＣＥ機器からの電源供給がＣＥ機器により制御されている。
【発明の開示】
【発明が解決しようとする課題】
【０００５】
しかしながら、前者の場合、ＣＥ機器の電源がオンの状態である限り、ＣＥ機器からＩＣチップに電源が供給され続けるので、ＣＥ機器の消費電力が増加してしまうという問題があった。また、後者の場合、例えばリーダライタ等の外部機器との間でデータの送受信を行うタイミングに応じて、ＩＣチップに対する電源供給をＣＥ機器が適切にオン／オフ切り替えすることが困難であるという問題があった。
【０００６】
本発明は上記問題点に鑑みてなされたものであり、その目的は、情報処理装置からＩＣチップへの電源供給を適切に制御することで、情報処理装置の消費電力を削減可能な、新規かつ改良された、ＩＣチップ、情報処理装置、情報処理システム、およびプログラムを提供することにある。
【課題を解決するための手段】
【０００７】
上記課題を解決するために、本発明の第１の観点によれば、情報処理装置に搭載可能なＩＣチップであって、情報処理装置から電源を供給されてＩＣチップの動作に必要な処理を行う処理部と、非接触通信により外部機器から送信される高周波信号を検知し、高周波信号の検知状態を示す検知信号を情報処理装置に出力する高周波信号検知部と、少なくとも検知信号に応答して情報処理装置から入力される制御信号に応じて、情報処理装置から処理部に対する電源供給を制御する電源供給制御部と、を備えるＩＣチップが提供される。
【０００８】
かかる構成によれば、ＩＣチップは、外部機器からの高周波信号を検知し、検知状態を示す検知信号を情報処理装置に出力し、少なくとも検知信号に応答して情報処理装置から入力される制御信号に応じて、情報処理装置から処理部に対する電源供給を制御する。これにより、ＩＣチップは、検知信号に応答して情報処理装置から入力される制御信号に応じて、情報処理装置からの電源供給を適切に制御することができる。
【０００９】
また、上記高周波信号検知部は、外部機器から送信される高周波信号に基づく電源を供給されて作動してもよい。これにより、外部機器からの高周波信号に基づく電源により高周波信号を検知可能となるので、情報処理装置の消費電力を削減することができる。
【００１０】
また、上記高周波信号検知部は、情報処理装置から電源を供給されて作動してもよい。これにより、情報処理装置からの電源により高周波信号を検知可能となるので、非接触電力伝送を行うための構成を省略することができる。
【００１１】
また、上記電源供給制御部は、さらに、処理部による処理状況に応答して情報処理装置から入力される制御信号に応じて、情報処理装置から処理部に対する電源供給を制御してもよい。これにより、処理部の処理状況に応答して情報処理装置から入力される制御信号に応じて、情報処理装置からの電源供給を適切に制御することができる。
【００１２】
上記課題を解決するために、本発明の第２の観点によれば、ＩＣチップを搭載可能な情報処理装置であって、ＩＣチップに電源を供給可能な電源供給部と、非接触通信により外部機器から送信される高周波信号の検知状態を示す検知信号をＩＣチップから入力され、少なくとも検知信号に応答して、電源供給部からＩＣチップの処理部に対する電源供給を、ＩＣチップに制御させるための制御信号をＩＣチップに出力する制御部と、を備え、ＩＣチップは、情報処理装置から電源を供給されてＩＣチップの動作に必要な処理を行う処理部と、非接触通信により外部機器から送信される高周波信号を検知し、高周波信号の検知状態を示す検知信号を情報処理装置に出力する高周波信号検知部と、少なくとも検知信号に応答して情報処理装置から入力される制御信号に応じて、情報処理装置から処理部に対する電源供給を制御する電源供給制御部と、を有する情報処理装置が提供される。
【００１３】
かかる構成によれば、情報処理装置は、外部機器からの高周波信号の検知状態を示す検知信号をＩＣチップから入力され、電源供給部からＩＣチップの処理部に対する電源供給を、ＩＣチップに制御させるための制御信号をＩＣチップに出力する。これにより、情報処理装置は、検知信号に応答してＩＣチップに出力する制御信号に応じて、ＩＣチップへの電源供給をＩＣチップに適切に制御させることができる。
【００１４】
また、上記制御部は、さらに、ＩＣチップの処理部による処理状況に応答して、電源供給部から処理部に対する電源供給を、ＩＣチップに制御させるための制御信号をＩＣチップに出力してもよい。これにより、ＩＣチップの処理状況に応答してＩＣチップに出力する制御信号に応じて、ＩＣチップへの電源供給をＩＣチップに適切に制御させることができる。
【００１５】
また、制御部は、検知信号または処理部による処理状況に応答して、電源供給部から処理部に対する電源供給を制御してもよい。これにより、ＩＣチップへの電源供給を適切に制御することができる。
【００１６】
上記課題を解決するために、本発明の第３の観点によれば、本発明の第２の観点による情報処理装置および外部機器からなる情報処理システムが提供される。また、上記課題を解決するために、本発明の第４の観点によれば、本発明の第１の観点によるＩＣチップがプログラム動作による電源制御を実行可能な構成を有する場合に、本発明の第１の観点によるＩＣチップに適用可能な電源制御方法をコンピュータに実行させるためのプログラムが提供される。さらに、上記課題を解決するために、本発明の第５の観点によれば、本発明の第２の観点による情報処理装置に適用可能な電源制御方法をコンピュータに実行させるためのプログラムが提供される。
【発明の効果】
【００１７】
本発明によれば、情報処理装置からＩＣチップへの電源供給を適切に制御することで、情報処理装置の消費電力を削減可能な、ＩＣチップ、情報処理装置、情報処理システム、およびプログラムを提供することができる。
【発明を実施するための最良の形態】
【００１８】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１９】
［情報処理システムの構成］
まず、図１を参照しながら、本発明の一実施形態に係る情報処理システムについて説明する。図１は、本実施形態に係る情報処理システムの構成を示す図である。
【００２０】
図１に示すように、情報処理システムは、ＩＣチップ１００を搭載したＣＥ機器１５０（情報処理装置）およびリーダライタ２００（外部機器）を含んで構成される。
【００２１】
ＩＣチップ１００は、ＣＥ機器１５０等の情報処理装置に搭載されて利用される。ＩＣチップ１００は、アンテナ１０２、処理部１０４、ＲＦ信号検知部１０６、および電源供給制御部１０８を含んで構成される。
【００２２】
アンテナ１０２は、リーダライタ２００等の外部機器との間で、非接触通信によりデータを送受信するために用いられる。処理部１０４は、ＣＥ機器１５０から電源および信号を供給されて、ＩＣチップ１００の動作に必要な処理を行う。ＲＦ信号検知部１０６は、リーダライタ２００から送信されるＲＦ信号を検知し、ＲＦ信号の検知状態を示す検知信号をＣＥ機器１５０（後述するホストＣＰＵ１５５）に出力する。電源供給制御部１０８は、少なくとも検知信号に応答してＣＥ機器１５０から入力される制御信号に応じて、ＣＥ機器１５０からの電源供給を制御する。
【００２３】
ＣＥ機器１５０は、非限定的に、パーソナルコンピュータ、テレビジョン受像機、オーディオ機器、携帯電話、腕時計、体温計、万歩計等である。ＣＥ機器１５０は、ホストＣＰＵ（制御部）１５５およびバッテリ（電源供給部）１６０を含んで構成される。
【００２４】
ホストＣＰＵ１５５は、図示しないメモリ等に格納されているプログラムを実行することで、ＣＥ機器１５０の動作に必要な処理制御を行う。また、ホストＣＰＵ１５５は、ＲＦ信号の検知状態を示す検知信号をＩＣチップ１００から入力され、少なくとも検知信号に応答して、バッテリ１６０からＩＣチップ１００への電源供給をＩＣチップ１００に制御させるための制御信号をＩＣチップ１００に出力する。バッテリ１６０は、ＩＣチップ１００およびホストＣＰＵ１５５を駆動するために、ＩＣチップ１００およびホストＣＰＵ１５５に電源を供給する。
【００２５】
リーダライタ２００は、例えばパーソナルコンピュータ等、図示しない制御装置に接続されて利用される。リーダライタ２００は、ＩＣチップ１００との間で、非接触通信によりデータを送受信するために用いられるアンテナ２０２を有する。
【００２６】
本実施形態に係る情報処理システムでは、ＩＣチップ１００は、リーダライタ２００のＲＦ信号を検知し、ＲＦ信号の検知状態を示す検知信号をＣＥ機器１５０（ホストＣＰＵ１５５）に出力する。ＣＥ機器１５０は、検知信号を入力され、少なくとも検知信号に応答して、バッテリ１６０からＩＣチップ１００に対する電源供給を、ＩＣチップ１００に制御させるための制御信号をＩＣチップ１００に出力する。そして、ＩＣチップ１００は、入力された制御信号に応じて、ＣＥ機器１５０からの電源供給を制御する。これにより、ＩＣチップ１００では、少なくとも検知信号に応答してＣＥ機器１５０から入力される制御信号に応じて、ＣＥ機器１５０からの電源供給が適切に制御され、ＣＥ機器１５０の消費電力を削減することができる。
【００２７】
［ＩＣチップ１００の構成］
次に、図２を参照しながら、本発明の一実施形態に係るＩＣチップ１００について説明する。図２は、本実施形態に係るＩＣチップ１００の構成例を示す図である。
【００２８】
図２に示すように、ＩＣチップ１００は、ＲＦ信号検知部１０６、電源供給制御部１０８、ロジック部１１０、整流回路１１１、リミッタ１１２、クロック抽出回路１１４、復調回路１１６、負荷変調回路１１８を含んで構成される。ここで、処理部１０４は、ＲＦ信号検知部１０６、電源供給制御部１０８、ロジック部１１０、クロック抽出回路１１４、復調回路１１６、および負荷変調回路１１８を含んで構成される。また、ＩＣチップ１００は、アンテナ端子１２０、電源端子（ＶＤＤ１２２、ＶＳＳ１２３）、検知信号端子１２４、制御信号端子１２６、ホストインタフェース１２８を含んで構成される。
【００２９】
整流回路１１１は、アンテナ１０２からアンテナ端子１２０を介して入力されるＲＦ信号を整流し、復調回路１１６等の他の回路要素に出力する。リミッタ１１２は、アンテナ端子１２０間に生じる電圧を所定の値に制限する。クロック抽出回路１１４は、整流回路１１１を介してＲＦ信号からクロックを抽出し、ロジック部１１０等に出力する。復調回路１１６は、アンテナ端子１２０を介して入力されるＲＦ信号から整流回路１１１を介した信号を復調し、復調後のＲＦ信号をデータとしてロジック部１１０に出力する。負荷変調回路１１８は、ロジック部１１０からデータを入力され、入力されるデータに応じてＲＦ信号に負荷をかけて変調し、変調後のＲＦ信号をアンテナ端子１２０を介してアンテナ１０２に出力する。
【００３０】
ＲＦ信号検知部１０６は、アンテナ端子１２０を介して入力されるＲＦ信号を検知し、ＲＦ信号の検知状態を示す検知信号を検知信号端子１２４を介してホストＣＰＵ１５５に出力する。ＲＦ信号検知部１０６は、電源生成回路によりＲＦ信号から生成される電源を、動作電源として動作可能に構成されてもよい。また、ＲＦ信号検知部１０６は、バッテリ１６０から供給される電源を自らの動作電源として動作可能に構成されてもよい。なお、前者の場合、電圧レギュレータ等を含む電源生成回路は、ＲＦ信号検知部１０６の一部として構成されてもよく、ＲＦ信号検知部１０６と別の回路として構成されてもよい。後者の場合、例えば電源端子ＶＤＤ１２２から電源供給制御部１０８に至る配線がＲＦ信号検知部１０６まで延長される。
【００３１】
電源供給制御部１０８は、バッテリ１６０から電源端子ＶＤＤ１２２、ＶＳＳ１２３を介して供給される電源から、クロック抽出回路１１４、復調回路１１６、負荷変調回路１１８からなるアナログ回路用の電源、およびロジック部１１０用の電源を生成する。また、電源供給制御部１０８は、ホストＣＰＵ１５５から制御信号端子１２６を介して入力される制御信号に応じて、バッテリ１６０からロジック部１１０、クロック抽出回路１１４、復調回路１１６、負荷変調回路１１８への電源供給をオン／オフ切替えする。
【００３２】
ロジック部１１０は、復調回路１１６から入力されるデータに対して所定の処理を行い、ホストＣＰＵ１５５に出力し、ホストＣＰＵ１５５から入力されるデータに対して所定の処理を行い、負荷変調回路１１８に出力する。なお、ロジック部１１０とホストＣＰＵ１５５との間では、ホストインタフェース１２８を介してデータが入出力される。以下では、ロジック部１１０が配線ロジックとして構成される場合を想定するが、ロジック部１１０は、図示しないメモリ等から読み出されるプログラムにより動作するＣＰＵとして構成されてもよい。ロジック部１１０がＣＰＵとして構成される場合、ロジック部１１０は、上記した所定の処理とともに、他の回路構成による機能を代替するように構成されてもよい。
【００３３】
バッテリ１６０からの電源供給がオフの状態では、整流回路１１１、リミッタ１１２、およびＲＦ信号検知部１０６のみが作動する。ここで、整流回路１１１およびリミッタ１１２は、電源供給なしで動作し、ＲＦ信号検知部１０６は、ＲＦ信号から生成された電源により作動してもよく、バッテリ１６０から供給される電源により作動してもよい。
【００３４】
一方、バッテリ１６０からの電源供給がオンの状態では、バッテリ１６０から電源供給制御部１０８を介して、ロジック部１１０、クロック抽出回路１１４、復調回路１１６、および負荷変調回路１１８等、ＩＣチップ１００の動作に必要な処理を行う処理部１０４に電源が供給される。
【００３５】
［情報処理システムの動作］
次に、図３および図４を参照しながら、本発明の一実施形態に係る情報処理システムの動作について説明する。図３および図４は、本実施形態に係る情報処理システムの動作を示すシーケンス図である。図３および図４には、検知信号５０および制御信号５２のタイミングチャートが併記されている。
【００３６】
まず、図３に示す動作について説明する。ここで、ＩＣチップ１００のＲＦ信号検知部１０６に対する電源供給が行われている状態を想定する。なお、ＲＦ信号検知部１０６に対する電源供給は、ＣＥ機器１５０がリーダライタ２００に近接された状態でリーダライタ２００の非接触電力伝送により行われてもよく、ＣＥ機器１５０のバッテリ１６０により行われてもよい。
【００３７】
例えば、ＣＥ機器１５０がリーダライタ２００に近接されると、ＩＣチップ１００は、ＲＦ信号検知部１０６によりリーダライタ２００からのＲＦ信号を検知する（ステップＳ１０）。ＲＦ信号を検知すると、ＩＣチップ１００は、ＲＦ信号検知部１０６によりＲＦ信号の検知を示す検知信号５０をホストＣＰＵ１５５に出力する（Ｓ１２）。
【００３８】
検知信号５０を入力されると、ホストＣＰＵ１５５は、バッテリ１６０からＩＣチップ１００への電源供給をオンさせる制御信号５２を電源供給制御部１０８に出力する（Ｓ１４）。制御信号５２を入力されると、電源供給制御部１０８は、バッテリ１６０からの電源供給をオンにするための制御を行う（Ｓ１６）。これにより、ＩＣチップ１００では、ＩＣチップ１００の動作に必要な処理を行う処理部１０４に電源が供給される。
【００３９】
そして、ＩＣチップ１００とリーダライタ２００との間では、ポーリング要求、ポーリング応答を介してデータの送受信処理が行われる（Ｓ１８）。なお、ステップＳ１０〜Ｓ１８の間は、ＩＣチップ１００は、ＲＦ信号の検知を示す検知信号５０を継続的にホストＣＰＵ１５５に出力し、ホストＣＰＵ１５５は、バッテリ１６０からの電源供給をオンさせる（オンに維持させる）制御信号５２を継続的に電源供給制御部１０８に出力している。
【００４０】
データの送受信処理の終了後または送受信処理の途中で、例えば、ＣＥ機器１５０がリーダライタ２００から隔離されると、ＩＣチップ１００は、ＲＦ信号検知部１０６によりリーダライタ２００からのＲＦ信号を検知しなくなる（Ｓ２０）。ＲＦ信号を検知しなくなると、ＩＣチップ１００は、ＲＦ信号検知部１０６によりＲＦ信号の非検知を示す検知信号５０をホストＣＰＵ１５５に出力する（Ｓ２２）。
【００４１】
ＲＦ信号の非検知を示す検知信号５０を入力されると、ホストＣＰＵ１５５は、バッテリ１６０からＩＣチップ１００への電源供給をオフさせる制御信号５２を電源供給制御部１０８に出力する（Ｓ２４）。制御信号５２を入力されると、電源供給制御部１０８は、バッテリ１６０からの電源供給をオフにするための制御を行う（Ｓ２６）。これにより、ＩＣチップ１００では、処理部１０４に電源が供給されなくなる。なお、この状態では、ＲＦ信号検知部１０６に対する電源供給がバッテリ１６０により行われてもよく、行われなくてもよい。
【００４２】
ＩＣチップ１００とリーダライタ２００との間では、例えば、タイミングチャートに示されているように検知信号５０および制御信号５２が入出力される。タイミングチャートには、検知信号５０がローアクティブであり、制御信号５２がハイアクティブである場合が示されている。この場合、検知信号５０は、ＲＦ信号の検知状態でロー状態、ＲＦ信号の非検知状態でハイ状態に切り替えられ、制御信号５２は、電源のオン状態でハイ状態、電源のオフ状態でロー状態に切り替えられる。なお、検知信号５０は、ハイアクティブに設定されてもよく、制御信号５２も、ローアクティブに設定されてもよい。
【００４３】
つまり、ＲＦ信号検知部１０６は、ＲＦ信号を検知している間は、ロー状態の検知信号５０をホストＣＰＵ１５５に出力し、ホストＣＰＵ１５５は、検知信号５０がロー状態の間は、ハイ状態の制御信号５２を電源供給制御部１０８に出力する。そして、電源供給制御部１０８は、制御信号５２がハイ状態の間は、バッテリ１６０から処理部１０４への電源供給をオン状態に制御する。
【００４４】
一方、ＲＦ信号検知部１０６は、ＲＦ信号を検知していない間は、ハイ状態の検知信号５０をホストＣＰＵ１５５に出力し、ホストＣＰＵ１５５は、検知信号５０がハイ状態の間は、ロー状態の制御信号５２を電源供給制御部１０８に出力する。そして、電源供給制御部１０８は、制御信号５２がロー状態の間は、バッテリ１６０から処理部１０４への電源供給をオフ状態に制御する。
【００４５】
これにより、リーダライタ２００からのＲＦ信号が検知されている間は、バッテリ１６０から処理部１０４への電源供給が行われ、ＲＦ信号が検知されていない間は、電源供給が停止されるので、ＣＥ機器１５０からの電源供給を適切に制御することができる。
【００４６】
次に図４に示す動作について説明する。なお、図４に示す動作のステップＳ３０〜Ｓ３８については、図３に示す動作のステップＳ１０〜Ｓ１８と同様であるので説明を省略する。
【００４７】
図４に示す動作の場合、ＩＣチップ１００とリーダライタ２００との間では、読取り要求、読取り応答を介してデータの送受信処理（Ｓ４０、Ｓ４２）が行われ、ＩＣチップ１００からの読取り応答により送受信処理が終了する。
【００４８】
データの送受信処理が終了すると、ホストＣＰＵ１５５は、処理部１０４に電源を供給する必要がないと判断し、バッテリ１６０からＩＣチップ１００への電源供給をオフさせる制御信号５２を電源供給制御部１０８に出力する（Ｓ４４）。ここで、ＩＣチップ１００は、ＲＦ信号の検知を示す検知信号５０を継続的にホストＣＰＵ１５５に出力している。
【００４９】
制御信号５２を入力されると、電源供給制御部１０８は、バッテリ１６０からの電源供給をオフにするための制御を行う（Ｓ４６）。これにより、ＩＣチップ１００では、処理部１０４に電源が供給されなくなる。なお、この状態では、ＲＦ信号検知部１０６に対する電源供給が、リーダライタ２００の非接触電力伝送により行われてもよく、バッテリ１６０により行われてもよく、または行われなくてもよい。
【００５０】
図４に示す動作の場合、データの送受信処理が終了すると、ホストＣＰＵ１５５は、制御信号５２をロー状態に切り替えて電源供給制御部１０８に出力する。ここで、ＲＦ信号検知部１０６は、ＲＦ信号が検知されているので、ロー状態の検知信号５０をホストＣＰＵ１５５に引き続き出力している。そして、電源供給制御部１０８は、制御信号５２がロー状態になると、バッテリ１６０から処理部１０４への電源供給をオフ状態に制御する。
【００５１】
これにより、ＩＣチップ１００の動作に必要な処理が行われている間は、バッテリ１６０から処理部１０４への電源供給が行われ、処理が終了すると電源供給が停止されるので、ＣＥ機器１５０からの電源供給をより適切に制御することができる。
【００５２】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【００５３】
例えば、上記実施形態の説明では、検知信号または処理部１０４の処理状況に応答して、ホストＣＰＵ１５５から入力される制御信号に応じて、電源供給制御部１０８がバッテリ１６０からの電源供給を間接的に制御する場合について説明した。しかし、電源供給制御部１０８が電源供給を制御する代わりに、ホストＣＰＵ１５５がバッテリ１６０からの電源供給を直接的に制御してもよい。これにより、ＩＣチップ１００への電源供給をＩＣチップ１００側ではなくＣＥ機器１５０側で適切に制御することができる。
【図面の簡単な説明】
【００５４】
【図１】本実施形態に係る情報処理システムの構成を示す図である。
【図２】本実施形態に係るＩＣチップの構成例を示す図である。
【図３】本実施形態に係る情報処理システムの動作を示すシーケンス図である。
【図４】本実施形態に係る情報処理システムの動作を示すシーケンス図である。
【符号の説明】
【００５５】
１００    ＩＣチップ
１０４    処理部
１０６    ＲＦ信号検知部
１０８    電源供給制御部
１５０    ＣＥ機器
１５５    ホストＣＰＵ
１６０    バッテリ
２００    リーダライタ
【図１】
2010067075.tif 000003
【図２】
2010067075.tif 000004
【図３】
2010067075.tif 000005
【図４】
2010067075.tif 000006